(57)【要約】【課題】吊元框の位置が左右反対位置にある上下の滑り出し窓部を利用して室内に風の循環流を発生させて室内を速やかに且つ効率良く換気できるようにすると共に、防雨性及びセキュリティ性の強化を図ること。【解決手段】窓枠２の内側に上側窓開口部３ａと下側窓開口部３ｂとを上下方向に隣接して形成すると共に、上側窓開口部３ａの左右いずれか一方サイドに上側の障子４Ａの吊元框７ｃを回転自在に連結して上側滑り出し窓部１Ａを構成し、下側窓開口部３ｂの左右いずれか他方サイドに下側の障子４Ｂの吊元框７ｃ´を回転自在に連結して下側滑り出し窓部１Ｂを構成した竪軸滑り出し窓１である。【選択図】図１
2007170138.tif 000002
【特許請求の範囲】
【請求項１】
窓枠と、窓枠に横開きしつつ屋外側に滑り出して最大９０度まで外開き可能に取り付けられる障子とを備えた竪軸滑り出し窓において、窓枠の内側に上側窓開口部と下側窓開口部とを上下方向に隣接して形成すると共に、上側窓開口部の左右いずれか一方サイドに上側の障子の吊元框を回転自在に連結して上側滑り出し窓部を構成し、下側窓開口部における左右いずれか他方サイドに下側の障子の吊元框を回転自在に連結して下側滑り出し窓部を構成したことを特徴とする竪軸滑り出し窓。
【発明の詳細な説明】
【技術分野】
【０００１】
本発明は、窓枠と、窓枠に横開きしつつ屋外側に滑り出して外開き可能に取り付けられる障子とを備えた竪軸滑り出し窓に関するものである。
【背景技術】
【０００２】
最近の住宅の出窓には、横開きしつつ屋外側に滑り出す方式の障子を有する竪軸滑り出し窓が採り入れられている（例えば、特許文献１参照）。
【０００３】
ところが上記特許文献１にみられる従来の竪軸滑り出し窓では、防犯面から障子が２０〜３０度程度しか開かないようにしているため、十分な換気、通風が行なえず、換気性が悪いという課題を有していた。
【特許文献１】特開２００５−１０００４５号公報
【発明の開示】
【発明が解決しようとする課題】
【０００４】
本発明は上記の従来の問題点に鑑みて発明したものであって、吊元框の位置が左右反対位置にある上下の滑り出し窓部を利用して室内に風の循環流を発生させることができ、これにより自然の風により室内を速やかに且つ効率良く換気できるようにし、さらに雨の浸入防止及びセキュリティ性の強化を図ることができる竪軸滑り出し窓を提供することを課題とするものである。
【課題を解決するための手段】
【０００５】
前記課題を解決するために本発明は、窓枠２と、窓枠２に横開きしつつ屋外側に滑り出して最大９０度まで外開き可能に取り付けられる障子とを備えた竪軸滑り出し窓において、窓枠２の内側に上側窓開口部３ａと下側窓開口部３ｂとを上下方向に隣接して形成すると共に、上側窓開口部３ａにおける左右いずれか一方サイドに上側の障子４Ａの吊元框７ｃを回転自在に連結して上側滑り出し窓部１Ａを構成し、下側窓開口部３ｂにおける左右いずれか他方サイドに下側の障子４Ｂの吊元框７ｃ´を回転自在に連結して下側滑り出し窓部１Ｂを構成したことを特徴としている。
【０００６】
このように構成とすることで、竪軸滑り出し窓１は上下の滑り出し窓部１Ａ，１Ｂを隣接配置した連窓構造となり、且つ上側の障子４Ａの吊元框７ｃと下側の障子４Ｂの吊元框７ｃ´とを左右反対側に位置させたことにより、室内Ｂの換気、通風を行なう際に、上下の障子４Ａ，４Ｂをそれぞれ鋭角で開くと、上下の障子４Ａ，４Ｂの開き方向が左右反対に向くようになり、これにより屋外Ｃから室内Ｂへの風Ｗの吹き込み角度θ１、及び、室内Ｂからの屋外Ｃへの風Ｗの吹き出し角度θ２がそれぞれ障子４Ａ，４Ｂと平行な鋭角となり、障子４Ａ，４Ｂがウインドキャッチャーとして機能して、室内Ｂにおいて風Ｗの循環流を発生させることができる結果、換気を速やかに且つ効率良く行なえると共に、雨の浸入防止を図ることができるようになる。しかも、窓枠２の内側を上側窓開口部３ａと下側窓開口部３ｂとに仕切ることで開口寸法を小さくでき、換気を促進させながら、空き巣ねらいなどの侵入防止を図ることができるようになる。
【発明の効果】
【０００７】
本発明は、上下の滑り出し窓部を隣接配置した連窓構造の竪軸滑り出し窓とし、さらに各滑り出し窓部の障子の吊元框の位置を左右反対側に位置させたことにより、上下の障子をそれぞれ鋭角で開いて上下の障子の開き方向を左右反対に向くようにすると、室内に風の循環流を発生させることができる結果、上下の滑り出し窓部を利用して自然の風により室内を速やかに且つ効率良く換気できると共に、雨の浸入も防止できる効果が得られる。また窓開口部を上下に仕切ることでセキュリティ性が向上する効果も得られる。
【発明を実施するための最良の形態】
【０００８】
以下、本発明を添付図面に示す実施形態に基いて説明する。
【０００９】
本発明の竪軸滑り出し窓１は、図１に示すように、窓枠２の内側に上下一対の滑り出し窓部１Ａ，１Ｂが上下方向に隣接して設置されている。
【００１０】
上記窓枠２は、上横枠２ａと中横枠２ｂと下横枠２ｃと側枠２ｄ，２ｄとを枠組みして構成されており、窓開口部３は、上横枠２ａと中横枠２ｂ間の上側窓開口部３ａと、中横枠２ｂと下横枠２ｃ間の下側窓開口部３ｂとで形成されている。
【００１１】
上側窓開口部３ａ内には上側滑り出し窓部１Ａが設置され、下側窓開口部３ｂ内には下側滑り出し窓部１Ｂが設置されている。
【００１２】
各滑り出し窓部１Ａ，１Ｂは、それぞれ、横開きしつつ屋外側に滑り出して最大９０度まで外開き可能に取り付けられる障子４Ａ，４Ｂとを備えている。
【００１３】
上側の障子４Ａは、図２に示すように、上框７ａ、下框７ｂ、吊元框７ｃ、戸先框７ｄを四方組みしてなる障子框７の内側にガラス板７ｅを嵌め込んで構成されている。なお下側の障子４Ｂも同様に、上框７ａ、下框７ｂ、吊元框７ｃ´、戸先框７ｄを四方組みしてなる障子框７の内側にガラス板７ｅを嵌め込んで構成される。
【００１４】
図１に示す例では、上側窓開口部３ａの右側サイドに、上側の障子４Ａの吊元框7ｃをフリクションステー８を介して回転自在に連結することで上側滑り出し窓部１Ａが構成されており、下側窓開口部３ｂにおける左側サイドに、下側の障子４Ｂの吊元框7ｃ´をフリクションステー８を介して回転自在に連結することで下側滑り出し窓部１Ｂが構成されている。勿論、上記とは逆に、上側窓開口部３ａの左側サイドに上側の障子４Ａの吊元框7ｃ、下側窓開口部３ｂの右側サイドに下側の障子４Ｂの吊元框7ｃ´をそれぞれ連結してもよい。
【００１５】
ここで、上記フリクションステー８は、ステー９とスライダー１０とガイド部材１５とで構成されており、障子４Ａ，４Ｂを開閉するときにステー９が折れ曲るときの摩擦力を利用して障子４Ａ，４Ｂの開き角度を任意の角度で保持できるようにするものである。本例では、スライダー１０が障子４Ａ（４Ｂ）の下框７ｂ側に取り付けられ、ガイド部材１５が窓枠２側に取り付けられる。ステー９の一端の固定軸１１はガイド部材１５の長手方向の一端側に回転自在に連結され、ステー９の他端の固定軸１１はスライダー１０の中央側に回転自在に連結されていると共に、スライダー１０の一端側の移動軸１３はガイド部材１５に設けたレール部１５ａに沿って移動自在に支持されている。
【００１６】
上記構成によれば、障子４Ａ（４Ｂ）の戸先框７ｄに設けたハンドル１４を手で操作して屋外Ｃ側に押すと、図３（ａ）→（ｂ）のようにスライダー１０の移動軸１３がガイド部材１５のレール部１５ａに沿って横移動するのに伴いステー９が回転軸１１を中心に回転してスライダー１０を屋外Ｃ側に回転移動させることで、障子４Ａ（４Ｂ）は横開きしつつ屋外Ｃ側に滑り出して最大９０度まで外開き可能となる。そして図３（ｃ）のように９０度まで開いた段階でステー９がスライダー１０の回転を止めることによって、障子４Ａ（４Ｂ）はそれ以上は開かなくなる。
【００１７】
また、室内Ｂの換気、通風を行なうにあたって、例えば図１（ａ）に示すように、上下の障子４Ａ，４Ｂを鋭角（例えば略４５度）に開いた状態で保持するのが好ましい。このとき上下の障子４Ａ，４Ｂの吊元框７ｃ，７ｃ´の位置が左右反対位置にあるため、上下の障子４Ａ，４Ｂの開き方向が左右反対向きとなる。こうすると、図１（ｂ）の白ぬき矢印Ａ１→Ａ６で示すように、屋外Ｃから室内Ｂへの風Ｗの吹き込み角度θ１、及び、室内Ｂからの屋外Ｃへの風Ｗの吹き出し角度θ２が障子４Ａ，４Ｂと平行な鋭角となり、風Ｗが室内Ｂを循環する循環流となり、換気を速やかに且つ効率良く行なえるようになる。つまり、上下の障子４Ａ，４Ｂが風Ｗを捕らえるウインドキャッチャーとしての役目を果たすようになり、結果、上下滑り出し窓部１Ａ，１Ｂを利用して自然の風Ｗにより室内Ｂを自然換気することができる。なお、風向きによっては図１の白ぬき矢印Ａ１→Ａ６とは逆向きの循環流となるので、風向き具合によって２方向からの風Ｗの採り込みが可能となる。
【００１８】
また本例では、障子４Ａ，４Ｂの開口寸法を例えば、２５０ｍｍ未満と小さくすることにより、雨が吹き込みにくくなり、さらに本例では上側窓開口部３ａと下側窓開口部３ｂとの間が中横枠２ｂで仕切られているので、窓開口部３の開口寸法が小さくなり、空き巣ねらいなどの侵入を確実に防止でき、防犯面で一層効果的となる。
【００１９】
本発明に係る竪軸滑り出し窓１は、一般住居の出窓に限らず、例えばビルの窓や、競技場、遊戯場、体育館の窓などにも広く適用でき、特に建物の内部空間が大きい場合に何らエネルギーを用いることなく自然換気を効率良く行えるので好適となる。
【図面の簡単な説明】
【００２０】
【図１】本発明の一実施形態を示し、（ａ）は上下の滑り出し窓部からなる竪軸滑り出し窓を備えた住宅の斜視図、（ｂ）は室内で発生する風の循環流の一例を説明する概略平面図である。
【図２】同上の滑り出し窓部の斜視図である。
【図３】同上の障子を開閉するフリクションステーの動作を示し、（ａ）は全閉時の説明図、（ｂ）は半開時の説明図、（ｃ）は全開時の説明図である。
【符号の説明】
【００２１】
１  竪軸滑り出し窓
１Ａ  上側滑り出し窓部
１Ｂ  下側滑り出し窓部
２  窓枠
３ａ  上側窓開口部
３ｂ  下側窓開口部
４Ａ，４Ｂ  障子
７ｃ，７ｃ´  吊元框
【図１】
2007170138.tif 000003
【図２】
2007170138.tif 000004
【図３】
2007170138.tif 000005